(57)【要約】【課題】  原稿の読み取り時間を短縮し生産性を上げ、後処理機の有無にて、例えば、ソータがセットされたときには読み取り順序を変え、ユーザがセット方向を確実に認識することができる両面対応時の機能を確保する両面対応の印刷機システムにおける自動原稿送り装置を提供する。【解決手段】  印刷機システムにおける自動原稿送り装置において、印刷機３１の後処理機３８の有無に応じて、原稿１のセット方向および給紙順序を変更する機能を有する印刷機システムにおける自動原稿送り装置。【選択図】        図２
2006033276.tif 000002
【特許請求の範囲】
【請求項１】
印刷機と自動原稿送り装置と後処理機を備えた印刷機システムにおいて、自動原稿送り装置を用いた印刷機による印刷時に後処理機を使用するか否かの違いに応じて、原稿のセット方向および給紙順序を変更する機能を有することを特徴とする印刷機システム。
【請求項２】
印刷機と自動原稿送り装置と後処理機を備えた印刷機システムにおいて、自動原稿送り装置を用いた印刷機による印刷時に後処理機を使用するか否かの違いに応じて、原稿のセット方向を認識できるように印刷機本体の表示部に、セット面および方向が分かるように表示する表示機能を有することを特徴とする印刷機システム。
【発明の詳細な説明】
【技術分野】
【０００１】
本発明は、ＰＰＣ、ファクシミリ、周辺機等を含む印刷機システムにおいて画像読み取り部に原稿を供給するために装備される自動原稿送り装置（以下、ＡＤＦ）に関するものである。
【背景技術】
【０００２】
両面対応の印刷機システムにおけるＡＤＦにおいて、シートのスキューを最適に補正する技術は従来から提案されている（例えば特許文献１および２参照）。
特許文献１および２においては、主として原稿の斜行補正を目的としてそれなりの効果を呈する技術が開示されている。
【特許文献１】特開平０８−２４５０１８号公報
【特許文献２】特開２００２−６００９５公報
【発明の開示】
【発明が解決しようとする課題】
【０００３】
しかしながら、原稿の表裏両面を印刷する両面対応の印刷機システムにおけるＡＤＦにおいては、印刷機システムに後処理機を含む場合に、その原稿読み取り動作は常時後処理有りを想定した動作で行われ、後処理機を含まない場合でも同じ処理動作が行われる。このため原稿の処理時間が長く掛かるという問題がある。
本発明の目的は、上述した実情を考慮して、原稿の読み取り時間を短縮し生産性を上げ、後処理機の有無にて、例えば、ソータがセットされたときには読み取り順序を変え、ユーザがセット方向を確実に認識することができる両面対応時の機能を確保する両面対応の印刷機システムを提供することにある。
【課題を解決するための手段】
【０００４】
上記の課題を解決するために、請求項１に記載の発明は、印刷機とＡＤＦと後処理機を備えた印刷機システムにおいて、ＡＤＦを用いた印刷機による印刷時に後処理機を使用するか否かの違いに応じて、原稿のセット方向および給紙順序を変更する機能を有することを特徴とする。
請求項２の発明は、印刷機とＡＤＦと後処理機を備えた印刷機システムにおいて、ＡＤＦを用いた印刷機による印刷時に後処理機を使用するか否かの違いに応じて、原稿のセット方向を認識できるように印刷機本体の表示部に、セット面および方向が分かるように表示する表示機能を有することを特徴とする。
【発明の効果】
【０００５】
本発明によれば、原稿の読み取り時間を短縮し生産性を上げ、後処理機の有無にて、例えば、ソータがセットされたときには読み取り順序を変えることができるので、両面対応時の機能を確保する印刷機用の両面対応のＡＤＦを提供することができる。
【発明を実施するための最良の形態】
【０００６】
以下、図面を参照して、本発明の実施の形態を詳細に説明する。図１は両面原稿読み取りタイプのＡＤＦを示す概略図である。原稿テーブル２上に第１画像面を上向きにセットされた原稿１は、下方に位置する本体３１の制御部からの信号により最上位の原稿から１枚ずつ順に給送される。
以下に原稿の１枚ずつの給送の動作手順を説明する。原稿１の先端は、給紙ガイド板３に突き当たることにより位置決めされる。底板４は、図示していないソレノイド（ＳＯＬ）により支点４ａを中心に矢印Ａ方向へ上昇し原稿１を下から呼び出しローラ５に加圧する。
呼び出しローラ５によって加圧された原稿１は最上位から順に分離ベルト６、分離ローラ７および外装を兼ねたガイド部材３２からなる分離部へ給送され１枚ずつ分離される（給紙）。
分離された原稿１はプルアウトローラ８とプルアウト従動ローラ９とを有する第１搬送経路を通り読み取り部１０へ搬送される。読み取り部１０はコンタクトガラス３３、ガイド板１１からなり、原稿１はガイド板１１とコンタクトガラス３３の間を通り読み取られる（読み取り）。
第１画像面のみの読み取り（片面モード）の場合は、原稿１は読み取り部１０にて画像情報を読み取られた後、補助ローラ１４、補助従動ローラ１５、排紙ローラ１６および排紙下従動ローラ１７を有する第２搬送経路を通り排紙部２０へ排出される（排紙）。
【０００７】
図２は両面読み取りモードにおいて説明するＡＤＦの概略図である。図３は切り換え爪の異なる位置を説明する図２のＡＤＦの概略図である。
第１画像面および第２画像面読み取り（両面モード）の場合には、原稿１は、図２のように、第１画像面読み取り後、第２搬送経路を通る。原稿１の先端が排紙センサ２４に到達したのを検知して切り換え爪１９が図示していないＳＯＬによりＢ′の位置に下降する。
そこで原稿１は反転ローラ２１と反転従動ローラ２２とを有するスイッチバックパスである第３搬送経路を通り中間トレイ２３上に搬送される。切り換え爪１９は原稿１の後端が排紙センサ２４を通過し一定時間（原稿後端が排紙ローラ１６を通過し切り換え爪１９上に達するまでの時間）経過した後、図示していないＳＯＬが解除されることにより図３のＢの位置に復帰する。
切り換え爪１９のＢ位置への復帰後、反転ローラ２１が逆回転し、図３に示すように、排紙ローラ１６、排紙上従動ローラ１８とを有する第４搬送経路に進入する（反転）。
原稿１の先端は排紙ローラ１６と排紙上従動ローラ１８とのニップ部に進入するが、このとき排紙ローラ１６は停止しており、いわゆるスキューの突き当て補正を行う。突き当て補正終了後、原稿１は第４搬送経路および第１搬送経路を通り、読み取り部１０にて第２画像面の画像情報を読み取られる。
図４はＡＤＦの搬送経路を説明する概略図である。図５は図４のＡＤＦの搬送経路を通る原稿の排出説明する概略図である。第２画像面読み取り後このままの状態で排紙部２０へ排出すると、第２画像面が下向きでスタックされ原稿のページ順狂いが生じる。
第１画像面が下向きでスタックされるように、原稿１は第２搬送経路を通り切り換え爪１９がＢ′の位置に下降するので、第３搬送経路を通り中間トレイ２３上に搬送された後、切り換え爪１９がＢの位置（図３）に復帰する。
この切り換え爪１９のＢ位置への復帰によって、原稿１は第４搬送経路、第１搬送経路、および第２搬送経路を通って排紙部２０へ排出される（図４〜図５）。
【０００８】
図６は後処理周辺機が搭載されていないときの本発明の印刷機システムを示す概略図である。図６において、印刷機システムは印刷機３１＋ＡＤＦ３６からなっている。
ＡＤＦの動作としては、前述した動作内容と変わらず、原稿セット部に原稿１を表面を上にしてセットする。給紙動作は、原稿１の１頁目より読み取りを行う。印刷機３１は１頁目の原稿を読み取り、複数枚１頁目を印刷しスタック部３５へスタックする。
図７は本発明による印刷機システムの動作フローを説明するフローチャートである。本発明の印刷機システムは、図示しない制御手段によって制御される。
本印刷機システムにおいては、１頁目の印刷が終了後、ＡＤＦは２ページ目を読み取り印刷機も２ページ目を複数枚印刷する。この動作を、原稿のＮ枚数目まで繰り返し行う。
上述した動作は、図７において、原稿が片面のときの動作で、ソータ無しの制御となる。すなわち、ステップ（Ｓ１）でソータ無しであれば、原稿表面をセットする（Ｓ２）。次に片面か両面かを判断し（Ｓ３）、片面印刷ならば、給紙（Ｓ４）、読み取り（Ｓ５）、排紙（Ｓ６）を順次行なう。
ステップ（Ｓ３）で両面印刷ならば、給紙（Ｓ７）、読み取り（Ｓ８）後、原稿１を反転し（Ｓ９）、次いで読み取り（Ｓ１０）、その後、さらに反転し（Ｓ１１）、排紙（Ｓ１２）を順次行なう。
このときのスタック部３５の印刷されたページの順序は、下から１ページＸ部数〜ＮページＸ部数となる。ページの順序の切り換え、原稿のセット方向の切り換えおよび給紙順序の変更等の機能を指示する制御部は図示してないが印刷機本体に内蔵されているものとする。
【０００９】
図８は後処理周辺機が搭載されているときの本発明の印刷機システムを示す概略図である。図８において、印刷機システムは印刷機３１＋後処理機＋ＡＤＦ３６からなっている。
後処理装置（ソータ）が搭載された場合、印刷の順序としてソートされた印刷束をページ順に並べるためには、原稿の最終紙から複数枚印刷する必要がある。
したがって、図８に示すようにＡＤＦの原稿セット部に原稿を裏面セット（Ｎ枚目が一番上）する（Ｓ１３）。
図７のステップＳ１４で片面原稿の場合、ＡＤＦは、片面の制御となり、給紙を行い（Ｓ１５）一度読み取り面を経由して反転部分へ搬送し（Ｓ１６）、反転後Ｎページ目の読み取りを行い（Ｓ１７）、再度反転し（Ｓ１８）、排紙される（Ｓ１９）。
Ｎページ目を読み取り後、印刷機はＮページ目を複数枚印刷しソートスタック部３７のトレイ毎に１枚ずつスタックされる。次に、ＡＤＦはＮ−１ページ目を給紙しＮページ目と同じ動作によりＮ−１ページ目を読み取る。
印刷機本体も、Ｎ−１ページ目を複数枚印刷し、ソートスタック部３７のトレイ毎にＮページ目の上に１枚ずつスタックされる。同様の動作を、１ページ目まで続けて行い動作を終了する。
このときのソートスタック部３７の各トレイ内の印刷されたページの順序は、下からＮページ〜１ページとなる。原稿が、両面原稿の場合はフローチャートのソータ有りと同様な両面原稿の制御にて動作する。両面原稿時には両面の制御となる。
上記のように、本発明では後処理機の有無にしたがってＡＤＦの原稿読み取り順序の制御を変更する。
【００１０】
図９は印刷機本体の表示パネル上の原稿のセット方向を示す表記手段の実施の形態を示す概略図である。図９において、表記例は原稿面表面セット時の表記例である。
後処理周辺機が装着されたときには、図９の表示部４２の外枠４０が消え、枠４１が表示される。後処理周辺機の有無によって、原稿の給紙順序を変更することにより後処理無しの場合は処理に要する時間を短縮できる。
後処理有りの場合は、スタックされた印刷束のページ順を保つことが可能となる。本発明を使用しない場合は、ＡＤＦの動作としては常時フローチャートの後処理有りの動作で行うため原稿の処理時間が長く掛かる。
後処理の有無にて、原稿の給紙方向が変わっても、この変更の有無が印刷機本体の表示パネル上の表示部分に表示されているため、ユーザが使うときには、間違いなく使用できる。
【図面の簡単な説明】
【００１１】
【図１】両面原稿読み取りタイプのＡＤＦを示す概略図。
【図２】両面読み取りモードにおいて説明するＡＤＦの概略図。
【図３】切り換え爪の異なる位置を説明する図２のＡＤＦの概略図。
【図４】ＡＤＦの搬送経路を説明する概略図。
【図５】図４のＡＤＦの搬送経路を通る原稿の排出説明する概略図。
【図６】後処理周辺機が搭載されていないときの本発明の印刷機システムを示す概略図。
【図７】本発明による印刷機システムの動作フローを説明するフローチャート。
【図８】後処理周辺機が搭載されているときの本発明の印刷機システムを示す概略図。
【図９】印刷機本体の表示パネル上の原稿のセット方向を示す表示手段の実施の形態を示す概略図。
【符号の説明】
【００１２】
１  原稿、１９  切り換え爪、３１  印刷機、３６  ＡＤＦ、３８  後処理機（ソータ）、４２  表示部
【図１】
2006033276.tif 000003
【図２】
2006033276.tif 000004
【図３】
2006033276.tif 000005
【図４】
2006033276.tif 000006
【図５】
2006033276.tif 000007
【図６】
2006033276.tif 000008
【図７】
2006033276.tif 000009
【図８】
2006033276.tif 000010
【図９】
2006033276.tif 000011